(57)【要約】【課題】  既設のシェードに装着した状態で照明範囲を調節できるようにしたＬＥＤ照明灯を提供する。【解決手段】  一面に多数のＬＥＤ１、１を密装した基板２の他面に円筒状の保持筒８を一体的に接続し、一方、内側に電源装置を収納し、一端に電極ベースを装着した筒状の本体３の他端部を上記保持筒の開口端部に摺動可能に嵌装し、保持筒８に透設された案内溝の長さ方向の複数個所に略Ｌ字形の係止溝を連設して、各係止溝のＬ字の横棒の端を案内溝に接続し、また、上記本体の他端部の外面にこれら案内溝及び係止溝に摺動可能に係合する係止ピンを突設した。【選択図】  図６
2013105588.tif 000002
【特許請求の範囲】
【請求項１】
一面に多数のＬＥＤを密装した基板の他面に円筒状の保持筒を一体的に接続し、一方、内側に電源装置を収納し、一端に電極ベースを装着した筒状の本体の他端部を上記保持筒の開口端部に摺動可能に嵌装し、他方、上記保持筒の外周面の少なくとも一の角度位置における母線に沿って案内溝を透設すると共に、この案内溝の長さ方向の複数個所に略Ｌ字形の係止溝を連設して、各係止溝のＬ字の横棒の端を案内溝に接続し、また、上記本体の他端部の外面にこれら案内溝及び係止溝に摺動可能に係合する係止ピンを突設したことを特徴とするＬＥＤ照明灯。
【発明の詳細な説明】
【技術分野】
【０００１】
この発明は、水銀灯様のＬＥＤ照明灯に係り、特に、既設のシェードに装着した状態で照明範囲を調節できるようにしたＬＥＤ照明灯に関する。
【背景技術】
【０００２】
周知のように、水銀灯は水銀蒸気を満たした真空管の放電によって得られる輝度の大きな照明装置であり、明るいことから、例えば屋内運動場の照明などに用いられている。
【０００３】
一方、近年、ＬＥＤの輝度が高く、消費電力が小さいことから、図１及び図２に示すように多数のＬＥＤ１、１を円形の例えばアルミ製の基板２の下面に密装し（図２参照）、基板２の上面に垂設した本体３の上端のエジソンベース４を、既設のシェード５内のソケット６（図３参照）に捩じ込んで使用するＬＥＤ照明灯７が提案された。
【先行技術文献】
【非特許文献】
【０００４】
【非特許文献１】パナソニック電工  ２００９−２０１１  施設・屋外照明カタログ
【発明の概要】
【発明が解決しようとする課題】
【０００５】
上記した水銀灯様のＬＥＤ照明灯は、図２に示す正面から見たときには非常に明るいので、そのまま既設のシェードに差し込んで使用できる如くである。
【０００６】
しかしながら、図１、２に示すＬＥＤ照明灯はその輝度面が平面であり、一方、従来の水銀灯は概ね細長い回転体であるから、従来の水銀灯の輝度分布に合わせて設計された既設のシェードにそのまま差し込んだだけでは適切な照明範囲を得ることができない、等未だ改良の余地がある。
【０００７】
そこで、この発明は、既設のシェードに装着した状態で簡単に照明範囲を調節できるようにしたＬＥＤ照明灯を提供することを目的としている。
【課題を解決するための手段】
【０００８】
上記の目的を達成するため、この発明は、一面に多数のＬＥＤを密装した基板の他面に円筒状の保持筒を一体的に接続し、一方、内側に電源装置を収納し、一端に電極ベースを装着した筒状の本体の他端部を上記保持筒の開口端部に摺動可能に嵌装し、他方、上記保持筒の外周面の少なくとも一の角度位置における母線に沿って案内溝を透設すると共に、この案内溝の長さ方向の複数個所に略Ｌ字形の係止溝を連設して、各係止溝のＬ字の横棒の端を案内溝に接続し、また、上記本体の他端部の外面にこれら案内溝及び係止溝に摺動可能に係合する係止ピンを突設したことを特徴とする。
【発明の効果】
【０００９】
基板及びこれと一体の保持筒を手で持って本体部に対し相対的に回動させ、或いは本体部の長さ方向に沿って移動させて、係止ピンを任意の係止溝に導入し、その状態で基板を自由にすると、係止ピンは任意の係止溝の上端に位置し、基板のシェード内における位置が変化するので、ＬＥＤ照明灯の照明範囲を段階的に、かつ、簡単に変化させることができ、しかも、その位置を安定的に保持する、という所期の効果を奏する。
【図面の簡単な説明】
【００１０】
【図１】ＬＥＤ照明灯の側面図。
【図２】ＬＥＤ照明灯の下面図。
【図３】ソケットの線図的断面図。
【図４】ＬＥＤ照明灯をシェードに装着した状態を示す線図的断面図。
【図５】調節部を設けたＬＥＤ照明灯の図１と同様の側面図。
【図６】調節部を設けた保持筒の拡大側面図。
【発明を実施するための形態】
【００１１】
ＬＥＤ照明灯を密装した基板の上面に円筒状の保持筒を一体的に接続し、この保持筒に、電源装置を収納した本体部を摺動可能に嵌装し、一方、上記保持筒の外周面の少なくとも一の角度位置における母線に沿って案内溝を透設すると共に、この案内溝の長さ方向の複数個所に略Ｌ字形の係止溝を連設して、各係止溝のＬ字の横棒の端を案内溝に接続し、他方、本体の他端部の外面にこれら案内溝及び係止溝に摺動可能に係合する係止ピンを突設してこれを上記案内溝及び係止溝に係合させたので、本体部と基板との相対位置を段階的に、かつ簡単に調節することができる。
【実施例１】
【００１２】
以下、この発明の一実施例を図面を参照して説明する。
図２及び図５において符号２は基板を示し、この基板２は例えば外形が円形のアルミニウム製の厚板である。
【００１３】
この基板２の床面、或いは地面に対向する側の一面（図５で下面）には、図２に示すように、多数のＬＥＤ照明灯１、１が密装されていてこの面が輝度面となる。
【００１４】
なお、基板２の一面に対するＬＥＤ照明灯の装着は、従来のものと同様であるから、更に詳細な説明を省略する。
【００１５】
上記基板２の他面（図５で上面）には、図５及び図６に示すように、円筒状の保持筒８が一体的、かつ同心に接続されている。
【００１６】
この保持筒８の開口端部、すなわち上端部には、図５及び図６に示すように、上端に電極ベース４を装着した筒状の本体３の下端部が上記保持筒８の開口端部に摺動可能に嵌装されている。
【００１７】
図示の実施例における本体３は、内側に図示しない電源装置を収納した段付筒状の部材で、電源装置の出力端子は、本体３の下端面を貫通する図示しない電力供給線により、上記ＬＥＤ群に供給される。
【００１８】
一方、図６に示すように、上記保持筒８の外周面の少なくとも一の角度位置における母線に沿って、図６では縦長の案内溝９が透設されている。
【００１９】
また、この案内溝９の長さ方向の複数個所（図示の実施例では４か所）に略Ｌ字形の係止溝１１、１１が連設されており、各係止溝１１のＬ字の横棒の端は案内溝９に接続されている。
【００２０】
これに対応して、本体３の外周面には、上記案内溝９及び係止溝１１と係合できる係止ピン１２（図６参照）が突設されている。
【００２１】
このようして、保持筒８の外面には全体を符号１３で示す調節部が形成されており、図示の実施例では、本体３の中心軸線周りの４か所に調節部１３、１３が形成されている。
【００２２】
なお、図１、図５及び図６において符号１４は冷却フィンを示す。
【００２３】
上記のように構成されたこの発明の一実施例によるＬＥＤ照明灯は、前記したように、また、図６に示すように、基板２を少し持ち上げて係止ピン１２を係止溝１１内で相対的に少し下げ、次いで基板２を少し回して係止ピン１２を案内溝９中に導入した後、係止ピンを他の係止溝１１に導入して手を離せば、調節部１３は新しい基板の位置を安定的に保持する。
【００２４】
なお、ソケット６に対する基板２の相対位置はＬＥＤ照明灯の照明範囲の大小に敏感に反映しないから、上記調節部１３における係止溝１１、１１の間隔は小さくなくとも良い。
【符号の説明】
【００２５】
１  ＬＥＤ
２  基板
３  本体
４  エジソンベース
５  シェード
６  ソケット
７  ＬＥＤ照明灯
８  保持筒
９  案内筒
１１  係止溝
１２  係止ピン
１３  調節部
１４  冷却フィン
【図１】
2013105588.tif 000003
【図２】
2013105588.tif 000004
【図３】
2013105588.tif 000005
【図４】
2013105588.tif 000006
【図５】
2013105588.tif 000007
【図６】
2013105588.tif 000008